【手続補正書】
【提出日】平成30年5月21日(2018.5.21)
【手続補正１】
【補正対象書類名】明細書
【補正対象項目名】０００６
【補正方法】変更
【補正の内容】
【０００６】
上記課題を解決するため、本発明に係る撮像制御措置は、
複数の撮像装置による撮影を無線通信により制御する撮像制御装置であって、
個々の撮像装置に対して受信確認をとりながら無線によるデータ送信を行う第１の送信方法と、複数の撮像装置に対して受信確認をとること無く一斉に無線によるデータ送信を行う第２の送信方法とを含む無線通信手段と、
複数の撮像装置に対して同時撮影を指示する場合に、前記第１の送信方法により複数の撮像装置に対して個別に撮影準備を指示する撮影準備指示データを送信した後、前記第２の送信方法により複数の撮像装置に対して撮影指示データを一斉に送信するよう制御する通信制御手段と、
を備えることを特徴とする。
【手続補正２】
【補正対象書類名】明細書
【補正対象項目名】０００８
【補正方法】変更
【補正の内容】
【０００８】
また、本発明に係る撮像制御方法は、
個々の撮像装置に対して受信確認をとりながら無線によるデータ送信を行う第１の送信方法と、複数の撮像装置に対して受信確認をとること無く一斉に無線によるデータ送信を行う第２の送信方法とを含む無線通信手段を備える撮像制御装置で実行される撮像制御方法であって、
複数の撮像装置に対して同時撮影を指示する場合に、前記第１の送信方法により複数の撮像装置に対して個別に撮影準備を指示する撮影準備指示データを送信した後、前記第２の送信方法により複数の撮像装置に対して撮影指示データを一斉に送信するよう制御する処理を含むことを特徴とする。
【手続補正３】
【補正対象書類名】明細書
【補正対象項目名】００１０
【補正方法】変更
【補正の内容】
【００１０】
また、本発明に係るプログラムは、
個々の撮像装置に対して受信確認をとりながら無線によるデータ送信を行う第１の送信方法と、複数の撮像装置に対して受信確認をとること無く一斉に無線によるデータ送信を行う第２の送信方法とを含む無線通信手段を備える撮像制御装置のコンピュータを、
複数の撮像装置に対して同時撮影を指示する場合に、前記第１の送信方法により複数の撮像装置に対して個別に撮影準備を指示する撮影準備指示データを送信した後、前記第２の送信方法により複数の撮像装置に対して撮影指示データを一斉に送信するよう制御する通信制御手段、
として機能させることを特徴とする。
【手続補正４】
【補正対象書類名】特許請求の範囲
【補正対象項目名】全文
【補正方法】変更
【補正の内容】
【特許請求の範囲】
【請求項１】
複数の撮像装置による撮影を無線通信により制御する撮像制御装置であって、
個々の撮像装置に対して受信確認をとりながら無線によるデータ送信を行う第１の送信方法と、複数の撮像装置に対して受信確認をとること無く一斉に無線によるデータ送信を行う第２の送信方法とを含む無線通信手段と、
複数の撮像装置に対して同時撮影を指示する場合に、前記第１の送信方法により複数の撮像装置に対して個別に撮影準備を指示する撮影準備指示データを送信した後、前記第２の送信方法により複数の撮像装置に対して撮影指示データを一斉に送信するよう制御する通信制御手段と、
を備えることを特徴とする撮像制御装置。
【請求項２】
前記通信制御手段は、前記第２の送信方法により複数の撮像装置に対して撮影指示データを一斉に送信する場合に、１回の同時撮影に対して複数回の一斉送信を行うよう制御することを特徴とする請求項１に記載の撮像制御装置。
【請求項３】
前記通信制御手段は、前記第２の送信方法により一斉に送信する前記撮影指示データに対して同時撮影毎に異なるＩＤ情報を付加するとともに、１回の同時撮影に対しては、同じＩＤ情報を付加した前記撮影指示データの一斉送信を複数回行うよう制御することを特徴とする請求項２に記載の撮像制御装置。
【請求項４】
前記通信制御手段は、前記第１の送信方法により複数の撮像装置に対して個別に撮影準備を指示する撮影準備指示データを送信した後、この撮影準備指示データを送信した全ての撮像装置から撮影準備の完了応答を受信するまで待機してから、前記第２の送信方法による前記撮影指示データの一斉送信を開始させることを特徴とする請求項１〜３の何れか一項に記載の撮像制御装置。
【請求項５】
撮像制御装置からの無線通信による撮影指示に応じて撮影を行う撮像装置であって、
前記撮像制御装置からの個別データ送信に対して受信確認の応答を行いながら無線通信を行う第１の通信方法と、前記撮像制御装置からの一斉データ送信に対して受信確認の応答を行うことなく無線通信を行う第２の通信方法とを含む無線通信手段と、
前記第１の通信方法の個別データ送信により撮影準備を指示する撮影準備指示データを受信した場合に撮影準備を開始し、この撮影準備が完了した後に完了応答を送信し、その後、前記第２の通信方法の一斉データ送信により撮影指示データを受信した場合に撮影を行う撮影制御手段と、
を備えることを特徴とする撮像装置。
【請求項６】
前記撮影制御手段は、前記第２の通信方法の一斉データ送信により撮影指示データを受信した場合に、この撮影指示データに付加されたＩＤ情報が所定時間前に受信した撮影指示データに付加されたＩＤ情報と異なる場合には撮影を行い、同じ場合には撮影を行わないように制御することを特徴とする請求項５に記載の撮像装置。
【請求項７】
前記第２の通信方法の一斉データ送信により撮影指示データを受信した場合には、ソフトウエアによる割り込み処理を介さずに撮影制御回路により直接的に撮影を制御することを特徴とする請求項５に記載の撮像装置。
【請求項８】
インターバル撮影の準備を指示する撮影準備指示データを受信した場合には、この撮影準備指示データに含まれるインターバル撮影の条件に従ってインターバル撮影の設定を行い、
インターバル撮影を指示する撮影指示データを受信した場合には、前記設定されたインターバル撮影の条件に従って指定間隔毎に撮影を繰り返し実行することを特徴とする請求項５に記載の撮像装置。
【請求項９】
同時再生の準備を指示する同時再生準備指示データを受信した場合には、この同時再生準備指示データに含まれる同時再生の条件に従って同時再生の設定を行い、
同時再生の開始を指示する同時再生開始指示データを受信した場合には、前記設定された同時再生の条件に従って同時再生を実行することを特徴とする請求項５に記載の撮像装置。
【請求項１０】
個々の撮像装置に対して受信確認をとりながら無線によるデータ送信を行う第１の送信方法と、複数の撮像装置に対して受信確認をとること無く一斉に無線によるデータ送信を行う第２の送信方法とを含む無線通信手段を備える撮像制御装置で実行される撮像制御方法であって、
複数の撮像装置に対して同時撮影を指示する場合に、前記第１の送信方法により複数の撮像装置に対して個別に撮影準備を指示する撮影準備指示データを送信した後、前記第２の送信方法により複数の撮像装置に対して撮影指示データを一斉に送信するよう制御する処理を含むことを特徴とする撮像制御方法。
【請求項１１】
撮像制御装置からの個別データ送信に対して受信確認の応答を行ないながら無線通信を行う第１の通信方法と、前記撮像制御装置からの一斉データ送信に対して受信確認の応答を行うことなく無線通信を行う第２の通信方法とを含む無線通信手段を備える撮像装置で実行される撮像方法であって、
前記第１の通信方法の個別データ送信により撮影準備を指示する撮影準備指示データを受信した場合に撮影準備を開始し、この撮影準備が完了した後に完了応答を送信し、その後、前記第２の通信方法の一斉データ送信により撮影指示データを受信した場合に撮影を行う処理を含むことを特徴とする撮像方法。
【請求項１２】
個々の撮像装置に対して受信確認をとりながら無線によるデータ送信を行う第１の送信方法と、複数の撮像装置に対して受信確認をとること無く一斉に無線によるデータ送信を行う第２の送信方法とを含む無線通信手段を備える撮像制御装置のコンピュータを、
複数の撮像装置に対して同時撮影を指示する場合に、前記第１の送信方法により複数の撮像装置に対して個別に撮影準備を指示する撮影準備指示データを送信した後、前記第２の送信方法により複数の撮像装置に対して撮影指示データを一斉に送信するよう制御する通信制御手段、
として機能させることを特徴とするプログラム。
【請求項１３】
撮像制御装置からの個別データ送信に対して受信確認の応答を行ないながら無線通信を行う第１の通信方法と、前記撮像制御装置からの一斉データ送信に対して受信確認の応答を行うことなく無線通信を行う第２の通信方法とを含む無線通信手段を備える撮像装置のコンピュータを、
前記第１の通信方法の個別データ送信により撮影準備を指示する撮影準備指示データを受信した場合に撮影準備を開始し、この撮影準備が完了した後に完了応答を送信し、その後、前記第２の通信方法の一斉データ送信により撮影指示データを受信した場合に撮影を行う撮影制御手段、
として機能させることを特徴とするプログラム。